(57)【要約】【課題】端縁に縁取桿を取り付けた布帛を体支面モジュールとしてそのままフレーム桿に重ね合わせてビス止めし、そのビス頭によって体支面の美観や感触が損なわれることがないようにする。【解決手段】椅子の向き合うフレーム桿１１ａとフレーム桿１１ｂの間に布帛１２を張設して身体を支える体支面１３を構成した布バネ構造椅子において、布帛の端縁１４に袋状空洞１５を設け、その袋状空洞１５に縁取桿１６を挿入し、その縁取桿１６をフレーム桿１１に重ね合わせ、フレーム桿を貫通したネジ材１７によって縁取桿１６をフレーム桿１１に接合する。ネジ材１７は、体支面１３の裏側となるフレーム桿１１の裏面において操作し、そのネジ材の端部１８が体支面１３の裏側となるフレーム桿１１の裏面に突き出るようにする。【選択図】図１
2008253653.tif 000002
【特許請求の範囲】
【請求項１】
（イ）  椅子の向き合うフレーム桿（１１ａ）とフレーム桿（１１ｂ）の間に布帛（１２）を張設して身体を支える体支面（１３）を構成した布バネ構造椅子において、
（ロ）  布帛の端縁（１４）が袋状空洞（１５）になっており、
（ハ）  その袋状空洞（１５）に縁取桿（１６）が挿入されており、
（ニ）  その縁取桿（１６）がフレーム桿（１１）に重なり、布帛（１２）が縁取桿（１６）を介してフレーム桿（１１）の上に重なり合っており、
（ホ）  フレーム桿を貫通したネジ材（１７）によって縁取桿（１６）がフレーム桿（１１）に接合されており、
（ヘ）  そのネジ材の端部（１８）が体支面（１３）の裏側となるフレーム桿（１１）の裏面に突き出ている布バネ構造椅子。
【請求項２】
（ト）  重なり合う縁取桿（１６）とフレーム桿（１１）の間にスペーサ（１９）が挟み込まれている前掲請求項１に記載の布バネ構造椅子。
【請求項３】
（チ）  ネジ差込孔（２０）がフレーム桿（１１）に穿設されており、
（リ）  ネジ材（１７）が、その差込孔（２０）を貫通してフレーム桿（１１）から縁取桿（１６）へと差し込まれて縁取桿に螺着している前掲請求項１と２の何れかに記載の布バネ構造椅子。
【請求項４】
（ヌ）  布帛の端縁（１４）において、縁取桿（１６）がフレーム桿（１１）よりも外側に位置し、
（ル）  フレーム桿（１１ａ）とフレーム桿（１１ｂ）の間に張設された布帛（１２）によって構成される体支面（１３）に対して４０度〜８０度の角度（θ）をもって傾斜する方向において縁取桿（１６）がフレーム桿（１１）の上に重なり合っており、
（オ）  その傾斜角度（θ）と同じ角度をもって、ネジ材の軸芯線（２１）が体支面（１３）に対して傾斜している前掲請求項１と２と３の何れかに記載の布バネ構造椅子。
【請求項５】
（ワ）  布帛（１２）の通気度が１５０ｃｃ／ｃｍ2 ・ｓｅｃ以上である前掲請求項１と２と３と４の何れかに記載の布バネ構造椅子。
【請求項６】
（カ）  左右のフレーム桿（１１ａ）とフレーム桿（１１ｂ）が向き合う椅子の幅方向における布帛（１２）の１０％伸長時の引張応力が１２０〜６００（Ｎ／５ｃｍ）である前掲請求項１と２と３と４と５の何れかに記載の布バネ構造椅子。  
【請求項７】
（ヨ）  椅子の左右向き合う本体フレーム（２２ａ）と本体フレーム（２２ｂ）のそれぞれに揺動桿（２３ａ・２３ｂ）がピン接合されており、
（タ）  それら左右の揺動桿（２３ａ・２３ｂ）がピン接合されており、
（レ）  その左右の揺動桿間のピン接合点（２４）を境にして揺動桿（２３）と本体フレーム（２２）とのピン接合点（２５）の反対側となる揺動桿の先端が自由端（２６）となっており、
（ソ）  その自由端（２６）にフレーム桿（１１）が接合されており、
（ツ）  左右の揺動桿（２３ａ）と揺動桿（２３ｂ）のピン接合点（２４）を境にして、左右の本体フレーム（２２ａ・２２ｂ）と、左右のフレーム桿（１１ａ・１１ｂ）と、左右の揺動桿（２３ａ・２３ｂ）が、それぞれ左右対称形を成している前掲請求項１と２と３と４と５と６の何れかに記載の布バネ構造椅子。
【請求項８】
（ネ）  左右の揺動桿間（２３ａ・２３ｂ）のピン接合点（２４）とフレーム桿（１１）の軸芯線を結ぶ直線（２７）とネジ材の軸芯線（２１）が、幾何学上の同じ平面上に位置している前掲請求項１と２と３と４と５と６と７の何れかに記載の布バネ構造椅子。
【発明の詳細な説明】
【技術分野】
【０００１】
本発明は、座席、座椅子、車椅子等の椅子に関するものである。
【背景技術】
【０００２】
椅子の向き合うフレーム桿とフレーム桿の間に布帛を張設して身体を支える体支面を構成した布バネ構造椅子は公知である。布帛は、その端縁をフレーム桿に設けた差込溝に楔桿と共に圧入する溝圧入方式（例えば、特許文献１参照）、又は、その端縁に形成した袋状空洞にフレーム桿を挿入する桿挿入方式（例えば、特許文献２、３参照）によって張設されている。
【０００３】
溝圧入方式の場合、差込溝を設けたフレーム桿は、その断面構造が複雑で製作コストが高くつき、又、椅子フレームも高重量になり、椅子の軽量化に応えることが出来ない。
【０００４】
桿挿入方式の場合、袋状空洞に挿入するフレーム桿は、市販の金属パイプを切断加工するだけでよく、製作コストが安価で、簡便に布帛を張設することが出来る。しかし、そのフレーム桿を袋状空洞に挿入して張設された布帛の体支面は、フレーム桿の半径分ｄ（太さの半分）だけフレーム桿の上面より窪む（図５−ｂ参照）。そこで、袋状空洞にはフレーム桿よりも細いパイプや薄い平板桿を縁取桿として挿入し、その縁取桿をフレーム桿に重ね合わせてビス止めする方法が採られる（例えば、特許文献４参照）。
【０００５】
【特許文献１】特開２００２−２８２５６３号公報
【特許文献２】特開平１１−１３７６０９号公報（特許第３４８６７２８号）
【特許文献３】特開２００６−０４２８４８号公報
【特許文献４】特開２００２−０９５７０４号公報
【発明の開示】
【発明が解決しようとする課題】
【０００６】
ビスは、その作業性からしてビスや工具を扱い易い体支面側からフレーム桿へと螺子込まれており、ビス頭が体支面に露出する。従って、桿挿入方式によると、体支面の見栄えを損なうだけでなく、ビス頭に身体が触れ易いので、体支面での感触が損なわれる。
【０００７】
そのような不都合を解消する手段として、上記特許文献２には、フレーム桿の上面に布帛の厚み相応の溝幅の布帛差込溝を設けると共に、布帛の端縁の袋状空洞にはフレーム桿に代えて縁取桿を挿入し、その縁取桿を布帛の端縁と一緒にフレーム桿の片端から布帛差込溝へと挿入する方法が記載されている。
この方法では、フレーム桿に布帛を取り付ける前に、そのフレーム桿を一部材として椅子フレームを組み立てておくことは出来ず、一旦張設した布帛を自由に取り替えることも出来ない。加えて、フレーム桿には、縁取桿と同程度に細いパイプを使用することは出来ず、太く肉厚の厚いパイプを使用せざるを得ないので、椅子フレームが高重量になり、椅子の軽量化に応えることが出来なくなる。そして、車椅子のように狭小な体支面では、その太く肉厚の厚いフレーム桿に身体が触れ易く、体支面での感触が損なわれる。
【０００８】
桿挿入方式において、布帛の体支面のフレーム桿の上面からの窪みをなくし、ビス頭を体支面から隠す手段として、布帛の端縁を布帛差込溝に挿入した縁取桿と共に折り返してフレーム桿の裏側に縁取桿をビス止めすることも考えられる。しかし、その場合も太く肉厚の厚いフレーム桿に身体が触れ易くなる。そして、体支面に隣り合う他のフレーム部材、例えば座面に隣り合う肘掛け、が邪魔になって、全ての場合に布帛の端縁を縁取桿と共に折り返すことが出来るとは限らない。又、その折返代分だけ余分な布帛が必要となり、その折返代分を含めて裁断される布帛の裁断形状と体支面の輪郭形状とが大きく異なる点でも、この布帛端縁折返方式は実利的とは言い難い。
【０００９】
そこで本発明は、桿挿入方式において、縁取桿を取り付けた布帛を体支面モジュールとしてそのままフレーム桿に重ね合わせてビス止めし、そのビス頭によって体支面の美観や感触が損なわれることがないようにすることを第１の目的とする。本発明の第２の目的は、縁取桿を取り付けた布帛を体支面モジュールとして取替自由にフレーム桿に効率的に取り付けることにある。本発明の第３の目的は、縁取桿をフレーム桿に固定するビスに布帛から作用するテンションを緩和し、その使用するビスが細いもので済むようにすることにある。本発明の第４の目的は、フレーム桿に市販の金属パイプを使用し、椅子フレームを軽量化することにある。
【課題を解決するための手段】
【００１０】
本発明に係る布バネ構造椅子は、（イ）  椅子の向き合うフレーム桿１１ａとフレーム桿１１ｂの間に布帛１２を張設して身体を支える体支面１３を構成した布バネ構造椅子において、（ロ）  布帛の端縁１４が袋状空洞１５になっており、（ハ）  その袋状空洞１５に縁取桿１６が挿入されており、（ニ）  その縁取桿１６がフレーム桿１１に重なり、布帛１２が縁取桿１６を介してフレーム桿１１の上に重なり合っており、（ホ）  フレーム桿を貫通したネジ材１７によって縁取桿１６がフレーム桿１１に接合されており、（ヘ）  そのネジ材の端部１８が体支面１３の裏側となるフレーム桿１１の裏面に突き出ていることを第１の特徴とする。
【００１１】
本発明に係る布バネ構造椅子の第２の特徴は、上記第１の特徴に加えて、（ト）  重なり合う縁取桿１６とフレーム桿１１の間にスペーサ１９が挟み込まれている点にある。
【００１２】
本発明に係る布バネ構造椅子の第３の特徴は、上記第１および第２の何れかの特徴に加えて、（チ）  ネジ差込孔２０がフレーム桿１１に穿設されており、（リ）  ネジ材１７が、その差込孔２０を貫通してフレーム桿１１から縁取桿１６へと差し込まれて縁取桿１６に螺着している点にある。
【００１３】
本発明に係る布バネ構造椅子の第４の特徴は、上記第１、第２および第３の何れかの特徴に加えて、（ヌ）  布帛の端縁１４において、縁取桿１６がフレーム桿１１よりも外側に位置し、（ル）  フレーム桿１１ａとフレーム桿１１ｂの間に張設された布帛１２によって構成される体支面１３に対して４０度〜８０度の角度θをもって傾斜する方向において縁取桿１６がフレーム桿１１の上に重なり合っており、（オ）  その傾斜角度θと同じ角度をもって、ネジ材の軸芯線２１が体支面１３に対して傾斜している点にある。
【００１４】
本発明に係る布バネ構造椅子の第５の特徴は、上記第１、第２、第３および第４の何れかの特徴に加えて、（ワ）  布帛１２の通気度が１５０ｃｃ／ｃｍ2 ・ｓｅｃ以上である点にある。
【００１５】
本発明に係る布バネ構造椅子の第６の特徴は、上記第１、第２、第３、第４および第５の何れかの特徴に加えて、（カ）  左右のフレーム桿１１ａとフレーム桿１１ｂが向き合う椅子の幅方向における布帛１２の１０％伸長時の引張応力が１２０〜６００（Ｎ／５ｃｍ）である点にある。
【００１６】
本発明に係る布バネ構造椅子の第７の特徴は、上記第１、第２、第３、第４、第５および第６の何れかの特徴に加えて、（ヨ）  椅子の左右向き合う本体フレーム２２ａと本体フレーム２２ｂのそれぞれに揺動桿２３ａ・２３ｂがピン接合されており、
（タ）  それら左右の揺動桿２３ａ・２３ｂがピン接合されており、
（レ）  その左右の揺動桿間のピン接合点２４を境にして揺動桿２３と本体フレーム２２とのピン接合点２５の反対側となる揺動桿の先端が自由端２６となっており、
（ソ）  その自由端２６にフレーム桿１１が接合されており、
（ツ）  左右の揺動桿２３ａと揺動桿２３ｂのピン接合点２４を境にして、左右の本体フレーム２２ａ・２２ｂと、左右のフレーム桿１１ａ・１１ｂと、左右の揺動桿２３ａ・２３ｂが、それぞれ左右対称形を成している点にある。
【００１７】
本発明に係る布バネ構造椅子の第８の特徴は、上記第１、第２、第３、第４、第５、第６および第７の何れかの特徴に加えて、（ネ）  左右の揺動桿間２３ａ・２３ｂのピン接合点２４とフレーム桿１１の軸芯線を結ぶ直線２７とネジ材の軸芯線２１が、幾何学上の同じ平面上に位置している点にある。
【発明の効果】
【００１８】
本発明（請求項１）では、縁取桿１６がフレーム桿１１に重なり、布帛１２は、その縁取桿１６を介してフレーム桿１１の上に重なり合って身体を支える体支面モジュールを構成し、ネジ材１７によって縁取桿１６と共にフレーム桿１１に接合されているので、そのネジ材１７を外して随時取り替え、或いは洗浄し、体支面１３を常時クリーンに保つことが出来る。
その体支面モジュールをフレーム桿１１に固定するネジ材１７は、その端部１８が体支面１３の裏側となるフレーム桿１１の裏面に突き出ているので、その突き出る端部１８によって体支面１３の美観や感触が損なわれることはない。
【００１９】
本発明（請求項２）では、重なり合う縁取桿１６とフレーム桿１１の間に挟み込まれるスペーサ１９を取り替えることによってフレーム桿１１と布帛１２との距離、即ち、体支面１３の高さを調整することが出来る。
又、重なり合うフレーム桿１１と縁取桿１６が如何なる断面形状を成すものであっても、スペーサ１９のフレーム桿１１や縁取桿１６との当接面をフレーム桿１１や縁取桿１６の周面形状と同じ形状に加工するだけで、スペーサ１９を介してフレーム桿１１と縁取桿１６を実質的に面接触状態にすることが出来る。
具体例をもって説明すると、図５（ｂ）と（ｃ）と（ｄ）に示すように、円形断面のパイプをフレーム桿１１と縁取桿１６に使用する場合、それらの重なり合う状態は線点（コロガリ）接触状態になるが、その円形断面のパイプの周面に合わせてスペーサ１９の両端を円弧状に切削加工すれば、フレーム桿１１と縁取桿１６それぞれの周面がスペーサ１９に面接触することになるので、そのスペーサ１９を介してフレーム桿１１と縁取桿１６が実質的に安定した面接触状態になる。
従って、ネジ材１７は、細いビスで済み、太いボルトを使用せず済むので、椅子フレームの軽量化を図ることが出来、ボルトに合わせて太いネジ差込孔２０やネジ孔２８をフレーム桿１１や縁取桿１６に設けずに済む。
【００２０】
本発明（請求項３）では、フレーム桿１１にネジ差込孔２０を穿設し、その差込孔２０にネジ材１７を差し込んでフレーム桿１１に縁取桿１６を螺着固定するので、布帛張設作業は、体支面１３の表側からフレーム桿に向けて縁取桿のネジ差込孔にネジ材を差し込む従来の桿挿入方式の場合と同じ作業となり、本発明を実施することで布帛張設作業効率が損なわれることはない。
【００２１】
本発明（請求項４）において、縁取桿１６がフレーム桿１１ａとフレーム桿１１ｂの間に張設された布帛１２によって構成される体支面１３に対して４０度〜８０度の角度θをもって傾斜する方向においてフレーム桿１１の上に重なり合っており、ネジ材の軸芯線２１は、その傾斜角度θと同じ角度をもって体支面１３に対して傾斜している。
このため、体支面１３に加わる体重に応じて布帛１２に作用するテンションは、縁取桿１６をフレーム桿１１に圧着する押圧力となって作用することになり、ネジ材１７に対する強い曲げ応力となって作用することはない。
従って、ネジ材１７は、細いビスで済み、この点でも椅子フレームの軽量化を図ることが出来る。
【００２２】
本発明（請求項５）では、通気度が１５０ｃｃ／ｃｍ2 ・ｓｅｃ以上の布帛１２によって体支面１３が構成されているので、蒸れを感じさせない布バネ構造椅子が得られる。
【００２３】
本発明（請求項６）では、体支面１３を構成する布帛１２の１０％伸長時の引張応力が１２０〜６００（Ｎ／５ｃｍ）であるので、体重を受けて体支面１３が大きく沈む（凹む）ことがなく、適度のクッション性を有し、特に、布帛１２を緊張するフレーム桿１１ａ・１１ｂをピン接合されて左右向き合う揺動桿２３ａ・２３ｂの自由端２６・２６に接合するときは、その揺動桿２３ａ・２３ｂの撓みや揺動によって布帛１２の伸縮性が助長されるので、クッション性に優れた布バネ構造椅子が得られる。
【００２４】
本発明（請求項７）において、左右向き合うフレーム桿１１ａ・１１ｂは、ピン接合されて左右向き合う揺動桿２３ａ・２３ｂの自由端２６・２６に接合されており、体支面１３に加わる体重に応じて布帛１２に作用するテンションによって揺動可能な状態におかれている。
このため、布帛１２に強いテンションが作用するときは、ネジ材１７も縁取桿１６やフレーム桿１１や揺動桿２３と一体になって揺動桿間のピン接合点２４を中心に揺動し、そのテンションに起因するネジ材１７に対する曲げ応力は、その揺動する揺動桿等の仕事量に吸収されて緩和される。
従って、ネジ材１７のみならず、フレーム桿１１や縁取桿１６にも太く重い部材を使用せずに済み、この点でも椅子フレームの軽量化を図ることが出来る。
【００２５】
本発明（請求項８）において、左右の揺動桿間２３ａ・２３ｂのピン接合点２４とフレーム桿１１の軸芯線を結ぶ直線２７とネジ材の軸芯線２１が幾何学上の同じ平面上に位置している。
このため、体支面１３に加わる体重に応じて布帛１２に作用するテンションに対抗してネジ材１７のフレーム桿１１からの突出箇所や左右の揺動桿間のピン接合点２４、および、揺動桿２３と本体フレーム２２のピン接合点２５において生じる反力の作用方向は、その幾何学上の平面内で一致し、それらの反力の作用方向の不一致により、ネジ材１７に強い曲げモーメントが作用しない。
特に、フレーム桿１１や縁取桿１６との当接面がそれらの周面形状と同じ形状を成すスペーサ１９を使用する場合、布帛１２のテンションに起因する曲げモーメントは、スペーサ１９に作用するとしてもネジ材１７には作用しない。
従って、ネジ材１７は、細いビスで済み、この点でも椅子フレームの軽量化を図ることが出来る。
【発明を実施するための最良の形態】
【００２６】
スペーサ１９は、フレーム桿１１と縁取桿１６の何れかに剛接することが出来る（図５−ｂ）。
しかし、体支面１３の高さを調整のためには、フレーム桿１１と縁取桿１６の間に、ネジ材１７を外して挿抜自在にスペーサ１９を挟み込むことが望ましい（図５−ｃ，図５−ｄ）。
特に、椅子フレームの軽量化のためには、パイプをスペーサ１９に用いることが推奨される（図５−ｄ）。
スペーサ１９は、所要の間隔をおいて飛び飛びにフレーム桿１１と縁取桿１６の間に挟み込むことが出来る（図４）。
【００２７】
スペーサ１９には、必ずしもネジ材１７を差し込む挿通孔を設ける必要はない。
即ち、図５（ａ）に示すようにスペーサ１９を使用せずにネジ材１７によって接合されたフレーム桿１１と縁取桿１６の間にネジ材１７を緩めて隙間を設け、その隙間にスペーサ１９を挟み込み、その後、ネジ材１７を強く締めてスペーサ１９をフレーム桿１１と縁取桿１６に密着させることも出来る。
【００２８】
左右の揺動桿間２３ａ・２３ｂのピン接合点２４とフレーム桿１１の軸芯線を結ぶ直線２７によって確定される幾何学上の平面内にネジ材の軸芯線２１が位置し、布帛１２に作用するテンションに起因する曲げモーメントがネジ材１７に作用しないようにするためには、スペーサ１９をフレーム桿１１と縁取桿１６の何れかに、好ましくは縁取桿１６に剛接、接着剤による接着、加熱溶融による融着乃至溶接し、スペーサ１９と縁取桿１６を一体的に構成することが望ましい。
そのようにスペーサ１９をフレーム桿１１と縁取桿１６の何れかと一体化しておくと、縁取桿１６とフレーム桿１１を接合する際にネジ材１７やスペーサ１９の位置ズレがなく、その接合作業を効率的に行うことが出来る。
【００２９】
布帛１２に作用するテンションに起因する曲げモーメントがネジ材１７に作用しないようにするためには、フレーム桿１１から縁取桿１６に至るスペーサ１９の寸法（厚みｅ）を布帛１２の厚みと同じ程度に短く（薄く）、即ち、スペーサ１９のフレーム桿１１との当接面がフレーム桿１１の周面と同じ形の窪んだ曲面を維持することが出来、スペーサ１９の縁取桿１６との当接面が縁取桿１６の周面と同じ形の窪んだ曲面を維持することが出来、フレーム桿１１と縁取桿１６の間で狭厚されてスペーサ１９が剪断・破壊されない限りにおいて、可能な限り短く（薄く）する。
具体的に言えば、フレーム桿１１から縁取桿１６に至るスペーサ１９の寸法（厚みｅ）は２ｍｍ以下・１ｍｍ前後であってもよい。
【００３０】
椅子フレームの軽量化のためには、フレーム桿１１と縁取桿１６にもパイプを用いることが推奨される（図５）。
その場合、ネジ孔２８は、そのパイプの空洞に内嵌した部材に設ける。
図５は、ネジ材１７としてタッピングボルトを使用した実施例を示すが、ボルトをネジ材１７に使用し、それを縁取桿１６に突設することも出来る。
その場合、フレーム桿１１のネジ差込孔２０から突き出たボルトの先端にナットを螺着することになる。
【００３１】
図１と図２は、車椅子に適用した本発明の実施例を示す。
体支面１３は、固定背凭れ２９から固定座面３０まで連続した弾性布帛１２によって構成されている。
弾性布帛１２の固定背凭れ２９における端縁１４の袋状空洞１５には揺動フレーム桿３６・３６が直接挿入されている。
【００３２】
弾性布帛１２の座面３０における端縁１４の袋状空洞１５には縁取桿１６が挿入されており、縁取桿１６をフレーム桿１１の上に載せ、座面３０の裏側から縁取桿１６とフレーム桿１１がビス止めされている。
左右向き合うフレーム桿１１ａ・１１ｂは、左右向き合う本体フレーム２２ａ・２２ｂにピン接合された揺動桿２３ａ・２３ｂの自由端２６・２６に剛接されている。
その自由端２６・２６と揺動フレーム桿３６・３６とのピン接合点２５ａ・２５ｂの中間部分で左右の揺動桿２３ａ・２３ｂがピン接合されており、そのピン接合点２４を中心に左右の揺動桿２３ａ・２３ｂが揺動して左右の本体フレーム２２ａ・２２ｂの間の幅が拡縮し、車椅子が折り畳めるようになっている（図３参照）。
ピン接合点２４を境とする揺動桿２３の上下両端部は分岐しており（図１参照）、その上端部の分岐桿２３ｅ・２３ｆは、フレーム桿１１の前端と後端に剛接され、その下端部の分岐桿は、本体フレーム２２の前端と後端にピン接合されている。
【００３３】
揺動フレーム桿３６は、本体フレーム２２に揺動可能にピン接合されており、固定座面３０に対する固定背凭れ２９の傾斜角度αを加減することが出来る。３７は、揺動フレーム桿３６の揺動を緩和するダンパー（油圧シリンダー）である（図２）。
【００３４】
弾性布帛１２の端縁の固定背凭れ２９と固定座面３０の間は、フレーム桿１１にも揺動フレーム桿３６にも把持されない自由縁３１になっている。左右の自由縁３１ａ・３１ｂに挟まれたフリーの背凭れ３２の裏側には、ランバーサポート３３が左右の揺動フレーム桿３６・３６の間に掛け渡されている。左右の自由縁３１ａ・３１ｂに挟まれたフリーの座面３９の裏側には、補強用弾性布帛３４が左右の揺動フレーム桿３６・３６の間に掛け渡されてパックアップシート３５を構成している。
この補強用弾性布帛３４の左右両端縁は、固定背凭れ２９から固定座面３０まで連続した弾性布帛１２のフレーム桿１１に把持された固定座面３０と同様に袋状空洞になっており、その袋状空洞に縁取桿が挿入され、その縁取桿と共にフレーム桿１１ａ・１１ｂにビス止めされている。
【００３５】
フレーム桿１１に把持された固定座面３０では、弾性布帛１２が折り返されて二重になっている。
パックアップシート３５は、腰を下ろした体支面１３を所要の沈み込みに規制する緩衝材として、その二重になった固定座面３０よりも奥まった位置に設定されている。
パックアップシート３５の幅方向における１０％伸長時の伸長力Ｆｂは、固定座面３０の幅方向における１０％伸長時の伸長力Ｆｆに比して弱く（Ｆｆ＞Ｆｂ）、慨して、固定座面３０の弾性布帛１２の伸長力Ｆｆの０．３〜０．９倍（Ｆｂ＝０．３Ｆｆ〜０．９Ｆｆ）になっている。
【００３６】
図示する車椅子では、固定座面３０とパックアップシート３５とランバーサポート３３と固定背凭れ２９の各間に隙間が出来るが、それらの各間の隙間が固定背凭れ２９から固定座面３０まで連続した弾性布帛１２に覆われているので、それらの各間に段差を感じさせることはない。その弾性布帛１２のパックアップシート３５とランバーサポート３３を覆うフリーの部分３９・３２の端縁が変形自在な自由縁３１になっており、そのフリーの部分３９・３２によって体支面１３が身体へのフィット性に優れたものとなる。
【００３７】
固定座面３０とパックアップシート３５とランバーサポート３３と固定背凭れ２９の各間に隙間が設けられ、弾性布帛１２のパックアップシート３５とランバーサポート３３を覆う部分３９・３２の端縁が変形自在な自由縁３１になっているので、揺動フレーム桿３６を揺動して固定座面３０に対する背凭れ２９の傾斜角度αを無理なく加減することが出来、又、本体フレーム２２ａ・２２ｂの間の幅が拡縮して車椅子を折り畳むことが出来、その際、固定背凭れ２９から固定座面３０まで続く弾性布帛１２の入隅部分３８から抵抗を受けることはない。
弾性布帛１２をフレーム桿１１に固定するネジ材１７の体支面１３への露出がなく、そのネジ材１７によって体支面１３の美観や感触が損なわれない。
【００３８】
弾性布帛１２には、破断伸度が６０％以上であり、１５％伸長後の弾性回復率が９０％以上の弾性糸、例えば、ポリエーテル系エステル繊維糸条を使用するとよい。
弾性布帛１２は、その弾性糸の長さ方向を椅子の幅方向に向けて織編込んだ織物でも編物でもよく、又、立体メッシュ地のように表地と裏地を連結糸で連結した立体的二重構造を成すものであってもよい。
弾性布帛１２には、非弾性糸である通常の紡績糸やマルチフィラメント糸が、その長さ方向を椅子の奥行き方向に向けて織編込まれていてもよい。
特に編地では、弾性糸が一直線状に編み込まれている緯糸挿入編地を用いるとよい。
弾性布帛１２は、複数枚の生地を縫合して固定背凭れ２９から固定座面３０まで連続するように仕立てられたものであってもよい。
【図面の簡単な説明】
【００３９】
【図１】本発明に係る車椅子の斜視図である。
【図２】本発明に係る車椅子の側面図である。
【図３】本発明に係る布バネ構造椅子の体支面の正面図である。
【図４】本発明に係る布バネ構造椅子の体支面の要部正面図である。
【図５】本発明に係る布バネ構造椅子の体支面の要部拡大正面図である。
【符号の説明】
【００４０】
１１：フレーム桿
１２：布帛
１３：体支面
１４：端縁
１５：空洞
１６：縁取桿
１７：ネジ材（ネジ）
１８：ネジ材の端部
１９：スペーサ
２０：ネジ差込孔
２１：ネジ材の軸芯線
２２：本体フレーム
２３：揺動桿
２４：揺動桿間ピン接合点
２５：揺動桿とフレームのピン接合点
２６：自由端
２７：直線
２８：ネジ孔
２９：固定背凭れ
３０：固定座面
３１：自由縁
３２：フリーの背凭れ
３３：ランバーサポート
３４：補強用弾性布帛
３５：パックアップシート
３６：揺動フレーム桿
３７：ダンパー
３８：入隅部分
３９：フリーの座面
【図１】
2008253653.tif 000003
【図２】
2008253653.tif 000004
【図３】
2008253653.tif 000005
【図４】
2008253653.tif 000006
【図５】
2008253653.tif 000007